【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
不飽和脂肪酸成分を含む絶縁性液体中にトナー粒子が分散した液体現像剤を用いて、記録媒体上にカラー画像を形成する液体現像装置であって、
色の異なる複数の液体現像剤を用いて、各色に対応した単色像を形成する複数の現像部と、
複数の前記現像部で形成された複数の前記単色像が順次転写され、転写された複数の前記単色像を重ね合わせてなる中間転写像を形成する中間転写部と、
前記中間転写像を前記記録媒体に転写する２次転写部とを有し、
複数の前記現像部のうち、前記中間転写部に対して、最後に前記単色像を転写する前記現像部は、定着時において前記不飽和脂肪酸成分の酸化重合反応を促進する酸化重合促進剤を含む液体現像剤を収容することを特徴とする液体現像装置。
【請求項２】
前記中間転写部に対して、最後に前記単色像を転写する前記現像部は、ブラックに対応した単色像を形成する現像部である請求項１に記載の液体現像装置。
【請求項３】
前記酸化重合促進剤は、カプセル化された状態で前記液体現像剤中に含まれる請求項１または２に記載の液体現像装置。
【請求項４】
前記現像部は、前記液体現像剤を貯留する液体現像剤貯留部を有し、
少なくとも、最後に前記単色像を転写する前記現像部の前記液体現像剤貯留部には、酸化された前記不飽和脂肪酸成分を還元する、主としてゼオライトで構成された還元部材が配されている請求項１ないし３のいずれかに記載の液体現像装置。
【請求項５】
不飽和脂肪酸成分を含む絶縁性液体および第１のトナーを有する第１の液体現像剤を現像する第１現像部と、
前記第１現像部で現像された第１の像を担持する第１像担持体と、
前記第１像担持体に現像された前記第１の像が転写される転写媒体と、
前記転写媒体に前記第１の像を転写する第１転写部と、
前記第１のトナーとは異なる色の第２のトナー、前記不飽和脂肪酸成分を含む絶縁性液体、および前記不飽和脂肪酸成分の酸化重合反応を促進する酸化重合促進剤を含む第２の液体現像剤を現像する第２現像部と、
前記第２現像部で現像された第２の像を担持する第２像担持体と、
前記第１の像が転写された前記転写媒体に前記第２の像を転写する第２転写部と、
前記第２の像が転写された転写媒体から記録媒体に前記第１の像および前記第２の像を転写する転写部と、
前記記録媒体に転写された像を加熱定着する定着部と、
を有することを特徴とする画像形成装置。
【請求項６】
前記第２の像が最後に前記転写部へ転写される像である請求項５に記載の画像形成装置。
【請求項７】
前記酸化重合促進剤は、カプセル化された状態で前記第２の液体現像剤中に含まれる請求項５または６に記載の画像形成装置。
【請求項８】
前記第２現像部は、前記液体現像剤を貯留する液体現像剤貯留部を有し、
少なくとも前記第２現像部の前記液体現像剤貯留部には、酸化された前記不飽和脂肪酸成分を還元する、ゼオライトを含む還元部材が配されている請求項５ないし７のいずれかに記載の画像形成装置。
【請求項９】
前記第２のトナーはブラックトナーである請求項５ないし８のいずれかに記載の画像形成装置。
【請求項１０】
第１のトナーと不飽和脂肪酸成分を含む絶縁性液体とを含む第１の液体現像剤を現像する第１の現像工程と、
前記第１現像部で現像された第１の像を担持する第１の像担持工程と、
前記第１像担持体に現像された前記第１の像を転写媒体に転写する第１の像転写工程と、
前記第１のトナーと異なる色の第２のトナーと前記不飽和脂肪酸成分を含む絶縁性液体と前記不飽和脂肪酸成分の酸化重合反応を促進する酸化重合促進剤とを含む第２の液体現像剤を現像する第２の現像工程と、
前記第２の現像工程で現像された第２の像を担持する第２の像担持工程と、
前記第１の像が転写された前記転写媒体に前記第２の像を転写する第２転写工程と、
前記第２の像が転写された転写媒体から記録媒体に前記第１の像および前記第２の像を転写する転写工程と、
前記記録媒体に転写された像を加熱定着する定着工程と、
を有することを特徴とする画像形成方法。
【手続補正２】
【補正対象書類名】明細書
【補正対象項目名】発明の名称
【補正方法】変更
【補正の内容】
【発明の名称】液体現像装置、画像形成装置および画像形成方法
【手続補正３】
【補正対象書類名】明細書
【補正対象項目名】０００１
【補正方法】変更
【補正の内容】
【０００１】
本発明は、液体現像装置、画像形成装置および画像形成方法に関するものである。
【手続補正４】
【補正対象書類名】明細書
【補正対象項目名】０００６
【補正方法】変更
【補正の内容】
【０００６】
本発明の目的は、得られる画像の画質の低下を防止しつつ、トナー粒子を記録媒体に強固に定着させることができ、かつ、環境に優しい液体現像装置、画像形成装置および画像形成方法を提供することにある。
【手続補正５】
【補正対象書類名】明細書
【補正対象項目名】００１０
【補正方法】変更
【補正の内容】
【００１０】
本発明の画像形成装置は、不飽和脂肪酸成分を含む絶縁性液体および第１のトナーを有する第１の液体現像剤を現像する第１現像部と、
前記第１現像部で現像された第１の像を担持する第１像担持体と、
前記第１像担持体に現像された前記第１の像が転写される転写媒体と、
前記転写媒体に前記第１の像を転写する第１転写部と、
前記第１のトナーとは異なる色の第２のトナー、前記不飽和脂肪酸成分を含む絶縁性液体、および前記不飽和脂肪酸成分の酸化重合反応を促進する酸化重合促進剤を含む第２の液体現像剤を現像する第２現像部と、
前記第２現像部で現像された第２の像を担持する第２像担持体と、
前記第１の像が転写された前記転写媒体に前記第２の像を転写する第２転写部と、
前記第２の像が転写された転写媒体から記録媒体に前記第１の像および前記第２の像を転写する転写部と、
前記記録媒体に転写された像を加熱定着する定着部と、
を有することを特徴とする。
これにより、得られる画像の画質の低下を防止しつつ、トナー粒子を記録媒体に強固に定着させることができ、かつ、環境に優しい画像形成装置を提供することができる。
本発明の画像形成装置では、前記第２の像が最後に前記転写部へ転写される像であることが好ましい。
本発明の画像形成装置では、前記酸化重合促進剤は、カプセル化された状態で前記第２の液体現像剤中に含まれることが好ましい。
本発明の画像形成装置では、前記第２現像部は、前記液体現像剤を貯留する液体現像剤貯留部を有し、
少なくとも前記第２現像部の前記液体現像剤貯留部には、酸化された前記不飽和脂肪酸成分を還元する、ゼオライトを含む還元部材が配されていることが好ましい。
本発明の画像形成装置では、前記第２のトナーはブラックトナーであることが好ましい。
本発明の画像形成方法は、第１のトナーと不飽和脂肪酸成分を含む絶縁性液体とを含む第１の液体現像剤を現像する第１の現像工程と、
前記第１現像部で現像された第１の像を担持する第１の像担持工程と、
前記第１像担持体に現像された前記第１の像を転写媒体に転写する第１の像転写工程と、
前記第１のトナーと異なる色の第２のトナーと前記不飽和脂肪酸成分を含む絶縁性液体と前記不飽和脂肪酸成分の酸化重合反応を促進する酸化重合促進剤とを含む第２の液体現像剤を現像する第２の現像工程と、
前記第２の現像工程で現像された第２の像を担持する第２の像担持工程と、
前記第１の像が転写された前記転写媒体に前記第２の像を転写する第２転写工程と、
前記第２の像が転写された転写媒体から記録媒体に前記第１の像および前記第２の像を転写する転写工程と、
前記記録媒体に転写された像を加熱定着する定着工程と、
を有することを特徴とする。
【手続補正６】
【補正対象書類名】明細書
【補正対象項目名】００１１
【補正方法】変更
【補正の内容】
【００１１】
以下、本発明の液体現像装置、画像形成装置および画像形成方法の好適な実施形態について説明する。
＜液体現像剤＞
まず、本発明の液体現像装置、画像形成装置および画像形成方法の説明に先立ち、本発明の液体現像装置、画像形成装置および画像形成方法に適用される液体現像剤について詳細に説明する。
本発明の液体現像装置、画像形成装置および画像形成方法に適用される液体現像剤は、不飽和脂肪酸成分を含む絶縁性液体中にトナー粒子が分散したものである。
【手続補正７】
【補正対象書類名】明細書
【補正対象項目名】００１２
【補正方法】変更
【補正の内容】
【００１２】
［絶縁性液体］
まず、絶縁性液体について説明する。
本発明の液体現像装置、画像形成装置および画像形成方法で用いる液体現像剤を構成する絶縁性液体は、不飽和結合を有する不飽和脂肪酸成分を含んでいる。
この不飽和脂肪酸成分は、環境に優しい成分である。したがって、液体現像装置外への絶縁性液体の漏出や、使用済液体現像剤の廃棄等による絶縁性液体の環境への負荷を低減することができる。その結果、環境に優しい液体現像装置を提供することができる。